(57)【要約】【課題】渡り板を荷受台の基端と荷台の床面後端との隙間に自動的に配置させることができ、渡り板をかけ渡す煩雑な作業が不要になるとともに、荷台のスペースを有効に利用することができる荷受台昇降装置を提供する。【解決手段】荷台１に上下２本の上方リンク４２と下方リンク４１を有するリンク機構４を介して荷受台５が昇降自在に設けられた荷受台昇降装置２において、荷受台５の基端には、上下に開閉移動可能な板材７が設けられ、板材７は、荷受台５が上昇位置に達した際には荷受台５の上面と略同一平面を形成して荷受台機能を発揮するか、もしくは荷台１と荷受台５との間での渡り板機能を発揮し、荷受台５が下降した際には上方リンク４２の当接部４３が下方から当接して荷受台５に対して起立する方向に傾斜した状態で配置されるように構成されている。【選択図】  図１
0003110170.tif 000002
【実用新案登録請求の範囲】
【請求項１】
荷台に上下２本の上方リンクと下方リンクを有するリンク機構を介して荷受台が昇降自在に設けられた荷受台昇降装置において、
前記荷受台の基端には、上下に開閉移動可能な板材が設けられ、該板材は、荷受台が上昇位置に達した際には荷受台の上面と略同一平面を形成して荷受台機能を発揮するか、もしくは荷台と荷受台との間での渡り板機能を発揮し、荷受台が下降した際には前記上方リンクの当接部が下方から当接して荷受台に対して起立する方向に傾斜した状態で配置されるように構成されたことを特徴とする荷受台昇降装置。
【考案の詳細な説明】
【技術分野】
【０００１】
本考案は、リンク機構を介して荷受台が昇降自在に設けられた荷受台昇降装置に関し、具体的には、上昇時には荷受台の一部を構成する荷受台機能を発揮するか、もしくは荷受台の基端と荷台の床面後端との隙間を埋めるための渡り板機能を有する板材の構造に関するものである。
【背景技術】
【０００２】
従来、例えば荷箱の後面が観音開き式の扉により開閉自在になされた車輌において、この荷箱の後面後方に荷受台昇降装置を設けた場合、荷受台昇降装置の荷受台は荷箱の後面に沿って起立させて格納しているのが一般的である。このため当該荷受台を格納した際に上記扉のロック装置との干渉を避けるために、荷受台と荷箱の後面との間には隙間を設けている。
【０００３】
従って、荷受台を荷箱の床面まで上昇させたときには、上記隙間に相当する分だけ荷受台の基端と荷箱の床面後端とが離れた状態になり、このままでは積み荷の移動に支障をきたすため、従来では荷受台の基端と荷箱の床面後端との間に渡り板（板材）を渡している。
【０００４】
具体的には、渡り板を荷箱の床面後端に前後方向に回動自在に設け、荷受台を上昇させた際に、渡り板を荷箱の後端から後方に回動させ荷受台の基端にかけ渡すことで、この渡り板を通じて積み荷を円滑に移動できるようにしている（例えば、特許文献１参照。）。
【特許文献１】実開平５−７４９８３号公報
【考案の開示】
【考案が解決しようとする課題】
【０００５】
しかしながら、上記従来のように、積み荷の積み降ろし作業の際に渡り板をいちいち作業者がかけ渡すのは手間がかかり作業が煩雑になるという問題があった。また、渡り板を使用できるようにするためには、当該渡り板上に積み荷を置いたままにしない必要があり、この渡り板を設けた荷箱の後端部分が積み荷を載置できないデッドスペースになるという問題があった。
【課題を解決するための手段】
【０００６】
上記の目的を達成するため、請求項１に係る考案の荷受台昇降装置は、荷台に上下２本の上方リンクと下方リンクを有するリンク機構を介して荷受台が昇降自在に設けられた荷受台昇降装置において、前記荷受台の基端には、上下に開閉移動可能な板材が設けられ、該板材は、荷受台が上昇位置に達した際には荷受台の上面と略同一平面を形成して荷受台機能を発揮するか、もしくは荷台と荷受台との間での渡り板機能を発揮し、荷受台が下降した際には前記上方リンクの当接部が下方から当接して荷受台に対して起立する方向に傾斜した状態で配置されるように構成されたものである。
【考案の効果】
【０００７】
本考案によれば、荷受台が上昇位置に達した際には、板材に荷受台の上面と略同一平面を形成して荷受台機能を発揮するか、もしくは荷台と荷受台との間での渡り板機能を発揮させるとともに、荷受台が下降した際には板材を荷受台に対して起立した状態に配置させることで、この板材を荷受台の基端と荷台の床面後端との隙間に自動的に配置させることができ、従来のように作業者がいちいち渡り板をかけ渡す煩雑な作業が不要になるとともに、渡り板を荷台側に設けなくて済むので荷台のスペースを有効に利用することができる。
【０００８】
また、荷受台を地上に下降させた場合には、板材が起立する方向に傾斜した状態で配置されることで、この板材を台車の車輪などの移動を阻止するストッパとして利用することができ、新たにストッパを設ける必要がなく一枚の板材を機能的に使用することができる。
【考案を実施するための最良の形態】
【０００９】
以下、本考案の実施の形態について図面を参照して説明する。
【００１０】
図１は、本考案の荷受台昇降装置を示している。
【００１１】
図１において、１は、車輌の車枠１１上に搭載された箱状の荷箱（荷台）で、この荷箱１の後面下方に荷受台昇降装置２が設けられている。
【００１２】
荷箱１の後面は、図示しないが観音開き式の扉により開閉自在になされている。
【００１３】
荷受台昇降装置２は、車枠１１に固設された取付部材３にリンク機構４を介して荷受台５が昇降自在に設けられている。
【００１４】
リンク機構４は、下方リンク４１と上方リンク４２とで構成されている。下方リンク４１は、その基端部が前記取付部材３の途中部に枢軸４１ａにより枢支されるとともに、先端部が荷受台５の基端部に設けられたブラケット５１の下部に枢軸４１ｂにより枢支されている。上方リンク４２は、その基端部が前記取付部材３の上部に枢軸４２ａにより枢支されるとともに、先端部が上記ブラケット５１の上部に枢軸４２ｂにより枢支されている。
【００１５】
一方、取付部材３と上方リンク４２の先端部寄りにはリフトシリンダ６が連結されている。リフトシリンダ６は、その伸縮動作により上方リンク４２を上下に回動させるためのもので、この上方リンク４２の回動に伴って下方リンク４１も上下方向に回動し、これら上方リンク４２及び下方リンク４１の回動により荷受台５を水平状態を保持しながら昇降作動させることができる。
【００１６】
前記荷受台５は、上述したようにその基端部にブラケット５１を介して上方リンク４２及び下方リンク４１の先端部が枢支されており、図１に示す水平状態から枢軸４２ｂを中心にして上方に回動して起立できるようになされている。
【００１７】
また、荷受台５の先端部は楔状に形成されており、荷受台５が地上に達した際に図１の二点鎖線で示すように傾動することで、この先端が地上に段差なく接地するようになされている。
【００１８】
ここで、この荷受台５の基端には、板材７が設けられている。板材７は、荷受台５を上昇位置に配置させた際に、荷受台５の上面と略同一平面を形成して荷受台機能を発揮させるか、もしくは荷箱１の床面後端と荷受台５の基端との間に生じる隙間を埋める渡り板機能を発揮させるためのもので、渡り板機能を発揮するには上記隙間に対応する長さを有するように形成している。
【００１９】
具体的には、図２に示すように荷受台５の基端に板材７の一端部がヒンジ７１により連結されており、荷受台５の上面と同一平面上に配置される水平位置から、当該荷受台５の上方斜めに起立可能に設けられている。
【００２０】
また、上方リンク４２の先端部寄りは、図２に示すように当該上方リンク４２が下方に回動した際に前記板材７の下面に当接してこの板材７を上方に回動させて起立させる当接部４３になされている。
【００２１】
つまり、上方リンク４２の回動動作と荷受台５の昇降動作の相対的な運動により、荷受台５が上昇位置にあるときには上記当接部４３は板材７から下方に離間してこの板材７を水平位置に配置するとともに、荷受台５が地上に達した際には当接部４３が板材７と当接して上方に回動させることにより、この板材７を荷受台５の上面に対して起立する方向に傾斜した状態となる起立位置に配置する。
【００２２】
また、荷受台５の上面先端部には、台車などの車輪の移動を阻止するストッパ５２が起立自在に設けられている。
【００２３】
次に、このように構成された荷受台昇降装置の動作について説明する。
【００２４】
まず、荷受台５を水平に配置した状態でリフトシリンダ６を伸縮作動させることにより、上方リンク４２と下方リンク４１とが上下に回動し、このリンク機構の作用により、荷受台５が水平状態を保持して地上と荷箱１の床面との間で昇降作動する。
【００２５】
この際、荷受台５が荷箱１の床面と略同じ高さとなる上昇位置にあるときには、図１に一点鎖線で示すように上方リンク４２の当接部４３が板材７の下方に退避していることから、板材７が荷受台５の基端から前方に水平に張り出して配置されており、これにより荷受台５の基端と荷箱１の床面後端との間に生じる隙間を埋めている。従って、荷受台５と荷箱１床面との間では台車などを使って積み荷を円滑に移動させることができる。
【００２６】
また、荷受台５を上記上昇位置からリフトシリンダ６を縮退させて下降させると、荷受台５が地上付近に達した際に、上方リンク４２が下向きに傾斜することから当接部４３が板材７の下面に当接する。そして、さらに荷受台５が下降するに従って、当接部４３により板材７をそのヒンジ７１を中心にして上方に回動させ、荷受台５が地上に達した際には板材７は当接部４３により斜めに起立した状態で配置される（図１実線参照）。
【００２７】
このように板材７を起立させて配置することで、この板材７が荷受台５上に載せた台車の車輪などの移動を阻止するストッパーとしての役目を果たすことになる。
【００２８】
そして、さらにリフトシリンダ６を縮退させると、荷受台５が徐々に傾動して当該荷受台５の先端が地上に接地する（図１二点鎖線参照）。従って、この先端を通じて地上と荷受台５との間で台車等を使って積み荷を円滑に移動させることができる。この際、板材７は上方に起立しており上述したストッパとしての役目を果たしている。
【００２９】
また、荷受台５を格納させる際には、荷受台５を上昇位置で枢軸４２ｂを中心に上方に回動させて起立させることで、図３に示すようにこの荷受台５を荷箱１の後面に沿って配置し、図示しない固縛部材により安定的に固縛する。
【００３０】
この際、板材７は、荷受台５の起立動作に伴って当接部４３に当接して荷受台５に対して屈折した状態で配置される。
【００３１】
このように板材７を荷受台５の基端に設けたことで、荷受台５が上昇位置に達して積み荷を荷受台５と荷箱１の床面との間で移動させる際には、荷受台５と略同一平面となって荷受台５の一部を構成し、また、後述するように渡り板機能を発揮する場合には板材７が荷受台５の基端と荷箱１の床面後端との間の隙間に自動的に配置され、積み荷を載せた台車等を円滑に移動させることができる。
【００３２】
また、荷受台５を地上に下降させた場合には、板材７が起立して台車の車輪などの移動を阻止するストッパとなり、安全性を高めることができ、新たにストッパを設ける必要がなく一枚の板材７を機能的に使用することができる。
【００３３】
図４乃至図６は、上述した板材７の各態様を示している。
【００３４】
図４に示す板材７は荷受台５の横幅と同じ横幅を有するものであり、これによって荷受台５が上昇位置に配置された場合には、荷受台５の基端と荷箱１の床面後端との間の隙間に自動的に水平に配置されて渡り板機能を発揮する。
【００３５】
これに対して図５及び図６に示す板材７は荷受台５の基端部の一部を切欠く形で設けたもので、図５の板材７は左右の上方リンク４２間に亘って設けられてなり、図６の板材７は左右の上方リンク４２と対応する２箇所に設けられてなり、各板材７は前述したように上方リンク４２の当接部４３が下方から当接することで荷受台５に対して起立する方向に傾斜した状態で配置される。従って、荷受台５が上昇位置に配置された場合には、荷受台５の一部を構成して荷受台機能を発揮する。
【００３６】
なお、上述した実施形態は、あくまでも本考案の好適な実施態様を示すものであって、本考案はこれに限定されることなく、その範囲内において種々設計変更可能である。
【００３７】
例えば、本実施の形態では、荷受台５が所謂一枚もののタイプの荷受台昇降装置について述べたがこれに限らず、荷受台を折り畳んで荷台の下方に格納するタイプの格納式荷受台昇降装置にも本考案の板材構造を適用することができる。
【図面の簡単な説明】
【００３８】
【図１】本考案の荷受台昇降装置の全体構成を示す側面図である。
【図２】板材及び作動ローラの構成を示す拡大の側面図である。
【図３】荷受台を格納した状態を示す側面図である。
【図４】板材の一態様を示す斜視図である。
【図５】板材の他の態様を示す斜視図である。
【図６】板材のさらに他の態様を示す斜視図である。
【符号の説明】
【００３９】
１  荷箱（荷台）
２  荷受台昇降装置
４  リンク機構
４１  下方リンク
４２  上方リンク
４３  当接部
５  荷受台
７  板材
【図１】
0003110170.tif 000003
【図２】
0003110170.tif 000004
【図３】
0003110170.tif 000005
【図４】
0003110170.tif 000006
【図５】
0003110170.tif 000007
【図６】
0003110170.tif 000008